【手続補正書】
【提出日】平成17年11月15日(2005.11.15)
【手続補正１】
【補正対象書類名】特許請求の範囲
【補正対象項目名】全文
【補正方法】変更
【補正の内容】
【特許請求の範囲】
【請求項１】
失禁パンツ、おむつパンツ又は衛生ナプキンパンツの如きパンツ状形状の吸収物品であって、前記吸収物品が長手方向及び横方向を有し、前記物品が弾性腰部分、長さ及び幅を有しかつ物品の使用中装着者の性器を少なくともカバーすることを意図される吸収要素（５）、及び少なくとも物品の使用中装着者から離れて面する側上で吸収要素を封入することを意図される液体不透過性外部層（３）を含むものにおいて、前記弾性腰部分は弾性第一部分（１）から作られ、その弾性第一部分（１）は前記横方向に平行な長さ方向で細長く、かつ装着者の胴を部分的に包囲してパンツ状物品の後部分（８）及び側部分（９，１０）を形成することを意図されること、物品の一部を形成する第二部分（２）がパンツ状物品の前部分（１１）及び股部分（１２）を形成するように設計されること、前記第二部分（２）が長さ及び幅を有し、かつ二つの対向する端縁及び二つの対向する長手方向側縁を伴って細長いこと、第二部分（２）の幅が少なくとも股部分（１２）において第一部分（１）の長さより小さいこと、第二部分（２）が第一部分の長さ方向に対して直角にその長さ方向を伴って配置され、かつ第一端部分（６）によって一つの縁部分（７）に第一部分の長さに沿って、その中央に接続されること、第一部分（１）の一つの端部分（１３）が第二部分（２）の前記側縁の一つの第一側縁部分（１４）に接続されること、第一部分（１）の他の端部分（１５）が第二部分の前記側縁の他の第二側縁部分（１６）に対応する方法で接続され、それに加えて吸収要素（５）が第二部分（２）上でその全体を配置されること、及び液体不透過性外部層（３）が少なくとも吸収要素をカバーするこの一部にわたって、呼吸可能であることを特徴とする吸収物品。
【請求項２】
第二部分（２）の長さが第一部分（１）の幅より大きいこと、長さの違いによって形成された第二部分の突出部分がその全体を物品の使用中下方になる第一部分の側縁の下に位置され、そこで股部分（１２）を形成することを特徴とする請求項１に記載の吸収物品。
【請求項３】
前記突出部分が第二部分（２）の残りより小さい幅を有する（図７）ことを特徴とする請求項２に記載の吸収物品。
【請求項４】
吸収要素（５）がその長さ方向において股部分（１２）全体にわたってかつ前部分（１１）にわたって少し物品の使用中上方になる第一部分（１）の側縁の方向に延びることを特徴とする請求項２又は３に記載の吸収物品。
【請求項５】
吸収要素（５）がその下方端部分が股部分（１２）にわたってかつ前記突出部分の範囲の半分未満にわたって少しだけ延びるように配置されている（図２）ことを特徴とする請求項２又は３に記載の吸収物品。
【請求項６】
吸収要素（５）が股部分（１２）の方向に先細になることを特徴とする請求項５に記載の吸収物品。
【請求項７】
吸収要素（５）が股領域におけるその側縁部分で凹形状を形成する（図５）ことを特徴とする請求項４に記載の吸収物品。
【請求項８】
接続された前記第一部分（１）の側縁部分（１３，１５）と前記第二部分（２）の端部分（１４，１６）が重なる方法で配置され、重なる部分の内側が重なる部分の外側に対して配置されることを特徴とする請求項１〜７のいずれかに記載の吸収物品。
【請求項９】
第二部分（２）が液体透過性内部層（４）及び前記液体不透過性外部層（３）を含むこと、及び吸収要素（５）が前記内部及び外部層の間に配置され、内部及び外部層が吸収要素（５）の外側で横方向及び長手方向に延び、そこで相互接続されていることを特徴とする請求項１〜８のいずれかに記載の吸収物品。
【請求項１０】
液体不透過性で呼吸可能な外部層（３）が吸収要素だけをカバーすることを特徴とする請求項１〜８のいずれかに記載の吸収物品。
【請求項１１】
吸収要素が繊維から作られること及び液体不透過性で呼吸可能な外部層が吸収要素と接続された疎水性繊維の外部層からなることを特徴とする請求項１０に記載の吸収物品。
【請求項１２】
前記呼吸可能な外部層（３）が２００〜１００００ｇ／ｍ２／２４ｈの大きさのＭＴＶＲ値を有することを特徴とする請求項１〜１１のいずれかに記載の吸収物品。
【請求項１３】
前記呼吸可能な外部層（３）が５００〜５０００ｇ／ｍ２／２４ｈの大きさのＭＴＶＲ値を有することを特徴とする請求項１〜１２のいずれかに記載の吸収物品。
【請求項１４】
前記呼吸可能な外部層（３）が１０００〜３０００ｇ／ｍ２／２４ｈの大きさのＭＴＶＲ値を有することを特徴とする請求項１〜１３のいずれかに記載の吸収物品。
【請求項１５】
第二部分（２）全体が呼吸可能でありかつ蒸気透過性であることを特徴とする請求項１〜１４のいずれかに記載の吸収物品。
【請求項１６】
第一部分（１）が矩形であることを特徴とする請求項１〜１５のいずれかに記載の吸収物品。
【請求項１７】
第二部分（２）が第一部分（１）と第二部分（２）の前記側縁部分（１４，１６）までの間で凹状部分（２２）を有し、凹状部分が装着者の脚のための切欠きを形成することを特徴とする請求項１〜１６のいずれかに記載の吸収物品。
【請求項１８】
第二部分（２）が少なくともその長さの一部に沿って第一部分（１）に向かって狭くなり、狭くなる部分が装着者の脚のための切欠きを形成することを特徴とする請求項１〜１７のいずれかに記載の吸収物品。
【請求項１９】
前部分（１）が本質的に非弾性であることを特徴とする請求項１〜１８のいずれかに記載の吸収物品。
【請求項２０】
弾性部材（２３，２４）が第二部分（２）の縁に沿って、少なくとも装着者の脚と封止接触して横たわることを意図される脚弾性体の形成のための股部分に沿って配置されることを特徴とする請求項１〜１９のいずれかに記載の吸収物品。
【請求項２１】
弾性部材（２３，２４）が後部分中の領域（６）から延び、そこで弾性第一部分（１）及び第二部分（２）が互いに、さらに前部分に向かう方向で第二部分の縁に沿って股部分に沿って重なり、それによって弾性部材が弾性第一部分と効果的に接続されることを特徴とする請求項２０に記載の吸収物品。
【請求項２２】
液体不透過性外部層（３）が呼吸可能でありかつ蒸気透過性であること、及び物品の残りがその全領域にわたって呼吸可能でありかつ蒸気透過性であることを特徴とする請求項１〜２１のいずれかに記載の吸収物品。
【請求項２３】
異なる材料又は有孔度の選択によって物品の異なる部分が異なる呼吸度を有することを特徴とする請求項２２に記載の吸収物品。
【請求項２４】
弾性第一部分（１）が第二部分（２）上の液体不透過性外部層より高い呼吸度を有することを特徴とする請求項２３に記載の吸収物品。
【請求項２５】
吸収要素（５）が超吸収材料を含有し、物品の後部分に向かう方向で連続的に狭くなること、及び超吸収材料の濃度が同じ方向で増加することを特徴とする請求項１〜２４のいずれかに記載の吸収物品。
【請求項２６】
失禁パンツ、おむつパンツ又は衛生ナプキンパンツの如きパンツ状形状の吸収物品の製造方法であって、前記吸収物品が長手方向及び横方向を有し、前記吸収物品が弾性腰部分、長さ及び幅を有しかつ物品の使用中装着者の性器を少なくともカバーすることを意図される吸収要素（５）、及び少なくとも物品の使用中装着者から離れて面する側上に吸収要素を封入することを意図される液体不透過性外部層（３）を含む場合において、前記弾性腰部分は弾性第一部分（１）から作られ、その弾性第一部分（１）は長さ及び幅を伴って本質的に矩形でありかつ使用中装着者の胴体を部分的に包囲してパンツ状物品の後部分（８）及び側部分（９，１０）を形成することを意図されること、物品の一部を形成する第二部分（２）がパンツ状物品の前部分（１１）及び股部分（１２）を形成するように設計されること、前記第二部分（２）が長さ及び幅を伴って作られ、二つの対向する端縁及び二つの対向する長手方向側縁を伴って長手方向に沿ってその長さ方向で配置されること、第二部分（２）の幅が少なくとも股部分（１２）において第一部分（１）の長さより小さく設計されること、第二部分（２）が第一部分の長さ方向に対して直角にその長さ方向を伴って配置され、かつ第一端部分（６）によって一つの縁部分（７）に第一部分の長さに沿って、その中央に接続されること、第一部分（１）の一つの端部分（１３）が第二部分（２）の前記側縁の一つの第一側縁部分（１４）に接続されること、第一部分（１）の他の端部分（１５）が第二部分の前記側縁の他の第二側縁部分（１６）に対応する方法で接続されること、及び液体不透過性外部層の少なくとも一部が吸収要素をカバーすることを意図され、かつ呼吸可能な材料から形成されることを特徴とする製造方法。
【請求項２７】
吸収要素（５）がその全体を物品の一部を形成する第二部分（２）上に配置された後、前記第二部分（２）が前記第一部分（１）に接続されることを特徴とする請求項２６に記載の方法。
【請求項２８】
吸収要素（５）が第二部分（２）上に配置される前、液体不透過性で呼吸可能な層（２７）を与えられることを特徴とする請求項２７に記載の方法。